(57)【要約】【課題】隣り合って並ぶ複数の枚葉紙に分割された一つのウェブを簡単に排紙できるように、請求項１のおいて書きに記載の装置をさらに拡張する。【解決手段】コストの安い被印刷物を、非常に様々なコーティング手段による加工及び変更可能な判型の作成と組み合わせて加工するために、クロスカッター３に、断裁された枚葉紙ＢＢを長手方向に分割する装置を後置する。枚葉紙部分ＢＴは、クロス搬送装置１２により引き離され、排紙装置６内で部分パイル７．１、７．２上に排紙される。【選択図】図３
2008169043.tif 000002
【特許請求の範囲】
【請求項１】
被印刷物ロールから被印刷物ウェブを供給するための装置、被印刷物ウェブを長手方向に分割するための少なくとも一つの装置、及び長手方向に分割されたウェブ部分を横方向に分割するための少なくとも一つの装置により、ウェブ形状の材料から枚葉紙を作成する装置において、
前記被印刷物ウェブ（Ｂ）は、枚葉紙（ＢＢ）を作成するためのクロスカッター（３）に供給可能なように配置されていること、及び、前記クロスカッター（３）には、搬送方向（Ｔ）に対して平行に枚葉紙（ＢＢ）を枚葉紙部分（ＢＴ）に分割するための被印刷物分割装置（１０）が、前記搬送方向（Ｔ）の直後又は直前に配置されていることを特徴とする装置。
【請求項２】
前記被印刷物分割装置（１０）は、前記クロスカッター（３）内に配置されていることを特徴とする、請求項１に記載の装置。
【請求項３】
前記被印刷物分割装置（１０）は、前記クロスカッター（３）への枚葉紙供給装置内に配置されていることを特徴とする、請求項１に記載の装置。
【請求項４】
前記クロスカッター（３）及び前記被印刷物分割装置（１０）には、作成された前記枚葉紙部分（ＢＴ）を受け取るのに適した排紙装置（６）が後置されていることを特徴とする、請求項１〜３のいずれか一項に記載の装置。
【請求項５】
前記被印刷物分割装置（１０）は、前記クロスカッター（３）に割り当てられた状態で、前記クロスカッター（３）に後置された前記排紙装置（６）への枚葉紙供給装置内に配置されていることを特徴とする、請求項４に記載の装置。
【請求項６】
前記被印刷物分割装置（１０）には、前記クロスカッター（３）により作成された枚葉紙（ＢＢ）を長手方向に分割して枚葉紙部分（ＢＴ）にするための断裁ユニットが設けられていることを特徴とする、請求項１から請求項５のいずれかに記載の装置。
【請求項７】
前記被印刷物分割装置（１０）には、前記被印刷物分割装置（１０）により作成された枚葉紙部分（ＢＴ）のための搬送装置（１１）に連結された、一以上のクロス搬送装置（１２）が後置されていることを特徴とする、請求項１〜６のいずれか一項に記載の装置。
【請求項８】
前記クロス搬送装置（１２）には、分割により作成された、互いに向かい合う内側エッジ（１５、１６）にそれぞれ割り当てられたサイド引っ張り装置（１３、１４）が設けられていることを特徴とする、請求項１から請求項７に記載の装置。
【請求項９】
前記サイド引っ張り装置（１３、１４）は、枚葉紙部分（ＢＴ）の前記内側エッジ（１５、１６）の間に分離路（Ｗ）を形成するために構成されているか、又はそのために制御可能であることを特徴とする、請求項８に記載の装置。
【請求項１０】
前記サイド引っ張り装置（１３、１４）は、圧縮空気を用いた位置合わせ手段として実施されていることを特徴とする、請求項８又は９に記載の装置。
【請求項１１】
前記サイド引っ張り装置（１３、１４）は、搬送方向（Ｔ）に対して横方向に周期的に移動可能な圧縮空気を用いたサッカーとして実施されていることを特徴とする、請求項１０に記載の装置。
【請求項１２】
前記サイド引っ張り装置（１３、１４）は、摩擦により作用する位置合わせ手段として実施されていることを特徴とする、請求項８又は９に記載の装置。
【請求項１３】
前記サイド引っ張り装置（１３、１４）は、枚葉紙部分（ＢＴ）のサイドエッジに作用する位置合わせ手段として実施されていることを特徴とする、請求項８又は９に記載の装置。
【請求項１４】
前記サイド引っ張り装置（１３、１４）は、一つの枚葉紙（ＢＢ）から２つの枚葉紙部分（ＢＴ）を作成する際に、前記分離路（Ｗ）を、それぞれ半分の幅又は互いに全体幅を分け合う部分幅で形成するために構成されているか又はそのために制御可能であることを特徴とする、請求項８〜１３のいずれか一項に記載の装置。
【請求項１５】
前記サイド引っ張り装置（１３、１４）は、一つの枚葉紙（ＢＢ）から３つの枚葉紙部分（ＢＴ）を作成する際に、前記分離路（Ｗ）を、それぞれフルの幅で形成するために構成されているか又はそのために制御可能であることを特徴とする、請求項８〜１３のいずれか一項に記載の装置。
【請求項１６】
前記サイド引っ張り装置（１３、１４）は、前記搬送装置（１１）の領域において、搬送方向（Ｔ）にほぼ平行に、枚葉紙部分（ＢＴ）と一緒に移動可能であるように配置されていることを特徴とする、請求項８〜１５のいずれか一項に記載の装置。
【請求項１７】
前記サイド引っ張り装置（１３、１４）は、前記排紙装置（６）に割り当てられた、該排紙装置（６）に送り込まれる枚葉紙から正確なパイルを作成するために設けられている位置合わせ装置により、前記搬送装置（１１）の領域内に構成されていることを特徴とする、請求項８〜１６のいずれか一項に記載の装置。
【請求項１８】
前記排紙装置（６）内には、複数の部分パイル（７．１、７．２）を受け取るための複数の装置が設けられていることを特徴とする、請求項１〜１７のいずれか一項に記載の装置。
【請求項１９】
前記排紙装置（６）内には、部分パイル（７．１、７．２）を分離するための少なくとも一つの位置合わせ装置（１７）が設けられていることを特徴とする、請求項１８に記載の装置。
【請求項２０】
前記位置合わせ装置（１７）は、枚葉紙部分（ＢＴ）をその内側エッジ（１５、１６）において位置決めするために、前記枚葉紙部分（ＢＴ）の幅に合わせて搬送方向（Ｔ）に対して横方向に調整可能であるように配置されていることを特徴とする、請求項１９に記載の装置。
【請求項２１】
部分パイル（７．１、７．２）の外側パイルエッジの位置合わせのために、位置決め可能な位置合わせ装置（１８）が、前記排紙装置（６）内に設けられていることを特徴とする、請求項１８〜２０のいずれか一項に記載の装置。
【請求項２２】
被印刷物ロールから被印刷物ウェブを供給するための装置、被印刷物ウェブを長手方向に分割するための少なくとも一つの装置、及び長手方向に分割されたウェブ部分を横方向に分割するための少なくとも一つの装置により、ウェブ形状の材料から枚葉紙を作成する方法において、
被印刷物ウェブ（Ｂ）を、クロスカッター（３）に供給し、このクロスカッター（３）により、被印刷物ウェブ（Ｂ）の搬送方向（Ｔ）に対して横方向に枚葉紙（ＢＢ）に分割するステップと、
これら枚葉紙（ＢＢ）を搬送方向（Ｔ）においてすぐに被印刷物分割装置（１０）に供給するステップと、
この被印刷物分割装置（１０）により前記枚葉紙（ＢＢ）を搬送方向（Ｔ）に平行に枚葉紙部分（ＢＴ）に分割するステップと、
を備えることを特徴とする方法。
【請求項２３】
被印刷物ロールから被印刷物ウェブを供給するための装置、被印刷物ウェブを長手方向に分割するための少なくとも一つの装置、長手方向に分割されたウェブ部分を横方向に分割するための少なくとも一つの装置により、ウェブ形状の材料から枚葉紙を作成する方法において、
被印刷物ウェブ（Ｂ）を、被印刷物分割装置（１０）に供給し、この被印刷物分割装置（１０）により、搬送方向（Ｔ）に対して平行に枚葉紙（ＢＢ）をウェブ部分に分割するステップと、
これらウェブ部分を搬送方向（Ｔ）においてすぐにクロスカッター（３）に供給し、ウェブ部分の搬送方向（Ｔ）に対して横方向の前記クロスカッター（３）により、搬送方向（Ｔ）に対して横方向に枚葉紙部分（ＢＴ）に分割するステップと、
を備えることを特徴とする方法。
【請求項２４】
被印刷物ウェブ（Ｂ）の横方向及び長手方向分割、又は長手方向及び横方向分割という工程により作成された枚葉紙部分（ＢＴ）が、搬送方向（Ｔ）において排紙装置（６）に搬送される際に、枚葉紙の外側エッジの向かい側に位置し、搬送方向（Ｔ）に平行な断裁エッジの間に空隙を形成するために、搬送方向（Ｔ）に対して横方向に位置合わせが行われることを特徴とする、請求項２２又は２３に記載の方法。
【請求項２５】
一以上のクロス搬送装置（１２）により、枚葉紙部分（ＢＴ）の間に分離路（Ｗ）が形成されることを特徴とする、請求項２２又は２３に記載の方法。
【請求項２６】
前記分離路（Ｗ）は、枚葉紙部分（ＢＴ）を、搬送方向（Ｔ）に対して横方向に均一に又は不均一にずらすことにより形成されることを特徴とする、請求項２５に記載の方法。
【請求項２７】
前記分離路（Ｗ）は、一つの枚葉紙部分（ＢＴ）を動かすことにより形成されることを特徴とする、請求項２５又は２６に記載の方法。
【請求項２８】
前記分離路（Ｗ）は、２つ以上の枚葉紙部分（ＢＴ）を動かすことにより形成されることを特徴とする、請求項２５又は２６に記載の方法。
【請求項２９】
前記分離路（Ｗ）は、変更可能なように設定可能であることを特徴とする、請求項２５又は２８に記載の方法。
【発明の詳細な説明】
【技術分野】
【０００１】
本発明は、請求項１のおいて書きに記載されたウェブ加工用クロスカッターに関する。
【背景技術】
【０００２】
枚葉紙加工機用に、ウェブ形状の被印刷物を、クロスカッターにより枚葉紙形状に分割して枚葉紙パイルに積み上げられることが知られている。
枚葉紙加工機では、枚葉紙状に断裁され、給紙装置にパイルごとにセットされ、そこから一枚ずつ機械内を搬送される被印刷物の加工を行う。ここで対象としているのは、枚葉紙印刷機、パンチング機、ラミネーター、ニス引き機、ソーター、コレーター、また、品質管理を行う装置、又はその他類似の加工機である。しかしこのためには特に、クロスカッター内において、通常は分割対象のウェブの幅及びクロスカッターの断裁長さにより求められる、さまざまな枚葉紙判型が必要となる。
【０００３】
しかしまた、一つのウェブから複数の平行のウェブを作成し、これを一枚ずつの枚葉紙に分割することもすでに知られている。
【０００４】
特許文献１より、段ボール装置及びその中で使用されている、段ボール枚葉紙作成方法が知られている。この段ボール枚葉紙作成のための段ボール装置では、フレキシブルさと生産性をより良くするために、断裁／パンチ装置内において一つの段ボールウェブから複数のエンドレスの、さまざまな判型の段ボール枚葉紙が作成される。そのために段ボールウェブは複数の部分ウェブに分割される。一つの分岐部内でこれらのウェブは少なくとも３つのレベルに分割され、この３つのレベルにおいてクロスカッター装置に送り込まれる。このクロスカッター内には、これら段ボール枚葉紙を断裁するための３つの部分クロスカッターが設けられている。
【０００５】
さらに枚葉紙加工の分野においても、対応する印刷機内において枚葉紙の長手方向分割を行うことがすでに知られている。
【０００６】
これに関しては、特許文献２から、枚葉紙搬送方法、及び、この方法で作動する枚葉紙加工機械が知られている。該方法は特に印刷機内へ枚葉紙を搬送するためのもので、枚葉紙は、印刷機内で、搬送方向に沿って行われる少なくとも一度の断裁により、隣接して並ぶ複数の部分枚葉紙に分割される。これら部分枚葉紙は、搬送方向に対して横方向に互いに離れるように移動させられるため、これら部分枚葉紙の間に間隔が生じる。そのために、印刷機の排紙装置内では、これら部分枚葉紙が自由に落下しながらガイド面に沿ってスライドするようになっている。断裁エッジを被印刷物分割装置に沿ってスライドさせることにより、枚葉紙は２つの部分パイルの上に別々に移動する。
【０００７】
これら前述の装置には、一つのウェブから複数の枚葉紙を作成する際の短所がある。特に挙げられるのは、複数のパイルが横に並んで配置されているただ一つのパイルユニットに、制御しながら排紙が行われる点であり、特に高速の場合はそのままでは不可能である。
【特許文献１】独国特許発明第１０２００４０４６１２７号明細書
【特許文献２】独国特許発明第１９８４２３４４号明細書
【発明の開示】
【発明が解決しようとする課題】
【０００８】
本発明の課題は、隣り合って並ぶ複数の枚葉紙に分割された一つのウェブを簡単に排紙できるように、請求項１のおいて書きに記載の装置のさらなる構成を行うことである。
【課題を解決するための手段】
【０００９】
この課題は本発明では、請求項１に記載の特徴により解決される。
【００１０】
特に、ウェブを分割する装置がクロスカッターに後置されている。断裁された枚葉紙を長手方向に分割したうえ、さらに、該分割された枚葉紙を横方向に動かすための装置が可能である。このとき分割された枚葉紙は、互いに独立した複数の引っ張り装置により枚葉紙の搬送方向に対して横方向に動かされる。
【００１１】
引っ張り装置としては、機械的、圧縮空気、又は摩擦効果により作用する装置が考慮される。引っ張り装置は、選択可能な分離路内においてクロスカット装置から離れている。被印刷物分割装置とクロスカット装置との間の間隔は、枚葉紙サイズに応じて選択できる。
【００１２】
さらなる好適な実施形態は従属請求項から理解できる。
【発明を実施するための最良の形態】
【００１３】
以下に、本発明を、実施例を基にして図を用いて詳しく説明する。
【００１４】
図１には、枚葉紙加工機械に枚葉紙を供給するための、それ自体が既知の装置が示されている。該装置では、ローラ交換装置内に被印刷物ロール１が配置されている。このローラ交換装置には、たとえばウェブバッファーを備えたウェブガイドユニット２が後置されている。このウェブガイドユニット２は、被印刷物ロール１から送り込まれる被印刷物ウェブＢをクロスカッター３にガイドする。クロスカッター３では、被印刷物ウェブＢが断裁されて生じた個々の枚葉紙がシートストリームＳとして並べられる。
【００１５】
枚葉紙ストリームＳ内では、枚葉紙には、シートストリームＳ内でそれぞれオーバーラップして並べられた枚葉紙のフロントエッジの間隔を指す、いわゆるオーバーラップ間隔が設けられる。このオーバーラップ間隔は、さらなる加工のために要求されることがらに応じて異なる。
【００１６】
そのためにクロスカッター３には断裁ユニット９及び、該クロスカッターに特異な又は変更可能なオーバーラップ間隔を生成できるストリーム式給紙ステーション８が設けられている。
クロスカッター３から送り出された枚葉紙のシートストリームＳはさらに、搬送テーブル４を介して、枚葉紙加工機械の枚葉紙供給装置５に送り込まれる。
【００１７】
上述のオーバーラップ間隔は、枚葉紙ストリームＳが搬送テーブル４を搬送される速度と、枚葉紙給送装置５を介して枚葉紙加工機械から運び去られるサイクルとの速度比から求められる。
【００１８】
図２には、枚葉紙パイルを作成するための実施形態における、図１の配置が示されている。ここでは、クロスカッター３に連結した搬送テーブル４が排紙装置６に接続されている。そのために枚葉紙ストリームＳは一つの枚葉紙パイル７に積み上げることができる。
【００１９】
図３には本発明の実施形態が示されている。
【００２０】
図２より、被印刷物ウェブＢが被印刷物ロール１からクロスカッター３に給送されることが示されている。クロスカッター３内では、被印刷物ウェブＢが搬送方向Ｔに対して直角に断裁されて枚葉紙ＢＢとなる。断裁される枚葉紙ＢＢの長さは、既知の手段によりクロスカッター３内であらかじめ選択できる。クロスカッター３から送り出される枚葉紙ＢＢは、その後、被印刷物分割装置１０に給送される。被印刷物分割装置１０は既知の方法で、カッターヘッド又はナイフを備えた断裁ユニットとして実施できる。
この被印刷物分割装置１０の後には、２つの枚葉紙部分ＢＴが隣り合って並べられる。
【００２１】
バリエーションとして、被印刷物ウェブＢが、被印刷物ロール１から直接被印刷物分割装置１０へ、その後クロスカッター３に給送されることも考えられる。その場合被印刷物分割装置１０の次には２つの並んだウェブ部分（ここでは図示せず）ができあがり、これらがクロスカッターに給送される。
クロスカッター３内では、被印刷物ウェブＢの２つのウェブ部分が搬送方向Ｔに対して直角に断裁されてウェブ部分ＢＴとなる。断裁して得られる枚葉紙部分ＢＴの長さは、既知の手段によりクロスカッター３内であらかじめ選択できる。
【００２２】
該２つの枚葉紙部分ＢＴは互いに平行に、搬送方向Ｔの方向にさらに搬送される。そのために、たとえば吸引ベルト装置を備える搬送装置１１が設けられている。枚葉紙部分ＢＴはこのようにして搬送装置１１により、平行に並んだまま、該搬送装置に接続されたクロス搬送装置１２へと導かれる。該クロス搬送装置により、枚葉紙部分ＢＴの間にある分離路Ｗを介してあらかじめ選択可能な量だけ、搬送方向Ｔに対して直角の方向にクロス移動させることが可能である。そのために、横に並んだ２つの枚葉紙部分ＢＴは、クロス搬送装置１２内においてサイド引っ張り装置１３、１４によりつかまれる。搬送方向Ｔにクロスする方向に行われる、サイド引っ張り装置１３、１４の横方向の動きにより、枚葉紙部分ＢＴは、内側エッジ１５、１６が特定の間隔になるまで引き離され、さらに位置合わせされる。該特定の間隔は、分離路Ｗに対応している。
【００２３】
搬送方向Ｔの方向に更に前進することにより、間隔Ｗをはさんで向かい合って並ぶ枚葉紙ＢＴは、排紙装置６の部分枚葉紙パイル７．１及び７．２に積み上げられる。排紙装置６内には、枚葉紙部分ＢＴの安定及びサイドエッジの位置合わせのために位置合わせ装置１７、１８が設けられている。位置合わせ装置１７はここで、２つの部分枚葉紙パイル７．１と７．２との間に間隔を形成するために設けられており、また、その幅は枚葉紙部分ＢＴの間の分離路Ｗに対応して構成されている。
【００２４】
位置合わせ装置１７、１８には、枚葉紙をより良く位置合わせするために、その上の領域において、パイルエッジの方向に下に向かう軽く傾斜した面を設けることができる。
【００２５】
サイド引っ張り装置１３、１４は、様々な方法で枚葉紙に作用させることができる。ここでは圧縮空気による手段を設けるのが望ましい。
【００２６】
しかしながら、枚葉紙部分ＢＴの搬送の動きによる摩擦を介して作用する手段、又は機械的な手段を介して作用する手段を設けることもできる。この実施形態のためのそれ自体知られている手段としては例えば、傾斜した搬送ローラ又は、例えば直線ガイドのような傾斜したガイド装置に連結した搬送ローラが挙げられる。
【００２７】
このとき、サイド引っ張り装置１３、１４は、分離路Ｗを形成している最中に、枚葉紙部分ＢＴと一緒に搬送方向Ｔの方向に移動するか、又は、搬送される枚葉紙部分ＢＴに対する相対位置において外側エッジの方に働く位置合わせ力を枚葉紙部分ＢＴに作用させることができる。
【００２８】
図示された実施形態により、簡単な方法で幅の広い一つのウェブから小さな判型の枚葉紙を一つのパイルユニット内において平行に並ぶ２つのパイルに排紙することが可能になる。
【００２９】
さらに、長さや幅といった判型の異なる枚葉紙を簡単な方法で作成するために、枚葉紙部分ＢＴのクロス搬送運動はあらかじめ選択可能及び適応可能な制御が行えるようになっていることが望ましい。
【００３０】
そのために、クロス分離運動を生じさせるサイド引っ張り装置１３、１４は、作用を及ぼすべき枚葉紙部分ＢＴの枚葉紙エッジに対して調整可能である。必要に応じて、ここで搬送方向Ｔの方向の枚葉紙分離運動の長さを適応させることができる。この適応は最終的には、枚葉紙排紙装置より知られた方法で、排紙装置６にも設けられている枚葉紙エッジのための位置合わせ装置１８についても行う必要がある。
【００３１】
場合によっては非対称となる長手方向断裁に関しては、枚葉紙ＢＢを、長さは同じであるが幅の異なる複数の枚葉紙部分ＢＴにするための様々な方法がある。
その一つは、サイド引っ張り装置１３、１４を非対称な設定にするものであり、このとき分離位置は、排紙装置６内の位置合わせ装置１７の位置に関しても変わらない。分離路Ｗも、２つのサイド引っ張り装置１３、１４に向かって半分のところで分割できる。
排紙装置６内の枚葉紙エッジのための位置合わせ装置１８は、同様に非対称に調整する必要がある。
他方ではまた、位置合わせ装置１７を部分枚葉紙パイル７．１と７．２との間で移動させ、それにより、排紙装置６内での部分枚葉紙パイル７．１と７．２との分離位置を移動させることもできる。それによりサイド引っ張り装置１３、１４は、被印刷物ウェブＢ又は枚葉紙ＢＢが同じ幅であれば、変更されることはない。排紙装置６内の枚葉紙エッジのための位置合わせ装置１８についても同様である。
【００３２】
本装置はさらに、同様に２つのサイド引っ張り装置１３、１４により枚葉紙ＢＢを３つの枚葉紙部分ＢＴに分割できるように拡張することも可能である。そのためには、排紙装置６内に、３つの部分枚葉紙パイルのための２つの分離位置を形成するために、２つの位置合わせ装置１７を設ける必要がある。その場合に設けられる２つの位置合わせ装置１７が必要とする枚葉紙部分ＢＴのための分離路Ｗはしかし、サイド引っ張り装置１３、１４のそれぞれにより、対応する枚葉紙部分ＢＴについてフルの幅で形成する必要がある。このとき追加的に生じる中央の枚葉紙部分ＢＴは、サイド移動を行わずに、排紙装置６内の、対応する部分枚葉紙パイルに導かれる。
【００３３】
図示した配置においては、サイド引っ張り装置１２、１３として望ましくは、排紙装置６に排紙するべき枚葉紙の枚葉紙位置合わせを行うために設けられている位置合わせ装置を用いる。それにより、装置がいっそう複雑になるのを回避できる。
【図面の簡単な説明】
【００３４】
【図１】クロスカッターの図である。
【図２】枚葉紙パイル作成のためのクロスカッターである。
【図３】本発明の装置の図である。
【符号の説明】
【００３５】
１    被印刷物ロール
２    ウェブガイドユニット
３    クロスカッター
４    搬送テーブル
５    枚葉紙供給
６    排紙装置
７    枚葉紙パイル；７．１、７．２
７．１    部分パイル
７．２    部分パイル
８    ストリーム式給紙ユニット
９    断裁ユニット
１０    被印刷物分割装置
１１    搬送装置
１２    クロス搬送装置
１３    サイド引っ張り装置
１４    サイド引っ張り装置
１５    内側エッジ
１６    内側エッジ
１７    位置合わせ装置
１８    位置合わせ装置
Ｂ    被印刷物ウェブ
Ｓ    シートストリーム
ＢＢ    枚葉紙
ＢＴ    枚葉紙部分
Ｔ    搬送方向
Ｗ    分離路
【図１】
2008169043.tif 000003
【図２】
2008169043.tif 000004
【図３】
2008169043.tif 000005